(57)【特許請求の範囲】
【請求項１】
植木鉢や日用品、置物等の被載置物を載置可能な天板と、該天板を支持する支持脚の機能を有する側板とを備えた害虫捕獲器用カバーであって、前記側板は、前記天板の外周近傍に立設されていて、横断面の長手方向が直線状となる第１の側板と、該第１の側板に対向する位置に曲面が形成された第２の側板とから構成されており、前記第１の側板と前記第２の側板との間の２箇所に害虫捕獲器を挿入可能な開口を有すると共に、前記２箇所の開口の上部には、ずれ防止片が設置されており、前記害虫捕獲器が挿入されている状態では、該害虫捕獲器の上部は前記天板にて覆われていると共に、前記ずれ防止片によって前記害虫捕獲器のずれを防止しつつ、前記害虫捕獲器が視認されるのを防ぐことを特徴とする害虫捕獲器用カバー。
【請求項２】
天板の平面形状と略同一形状の化粧板が、前記天板の上部を覆うように設置されていることを特徴とする請求項１に記載の害虫捕獲器用カバー。
【請求項３】
天板は、磁性材料からなる金属にて形成されていると共に、化粧板の底面に磁石が設置されていることを特徴とする請求項２に記載の害虫捕獲器用カバー。
【請求項４】
化粧板の上面には、被載置物を固定可能な溝又は孔が形成されていることを特徴とする請求項２又は３に記載の害虫捕獲器用カバー。
【発明の詳細な説明】
【技術分野】
【０００１】
本発明は、ゴキブリ等の害虫を捕獲する捕獲器を外部から視認され難くするためのカバーに関するものである。
【背景技術】
【０００２】
従来から、粘着式のゴキブリ捕獲器に関する発明は知られている（図７参照）。このゴキブリ捕獲器１１は、厚紙で製作された箱状の捕獲器本体１１ａの底面に粘着剤が塗布されており、誘引剤が載置されていると共に、周囲壁面にゴキブリ侵入用の開口部１２、１２、・・が形成されており、開口部１２、１２・・から侵入したゴキブリを粘着剤で捕捉して捕獲器本体１１ａ内に捕獲するようにしたものである（特許文献１）。
【０００３】
上記特許文献１に記載のゴキブリ捕獲器は、家庭では台所や玄関口に置かれ、飲食店でも店内の片隅や厨房等に置かれているものであった。
【先行技術文献】
【特許文献】
【０００４】
【特許文献１】実開昭６０−５７９８３号公報
【発明の概要】
【発明が解決しようとする課題】
【０００５】
しかしながら、上記特許文献１に記載のゴキブリ捕獲器は、一般的に形状が知れわたっているため、来客に認識され易く、内部にゴキブリが捕獲されている場合には、不快感を与える可能性があった。また、所定面積以上の建物を管理する建物管理者は、害虫等の生息調査を行うことが義務付けられる場合があり、建物に入居している飲食店等に調査用のゴキブリ捕獲器を設置するように依頼に行くと、人目につく場所への設置を断られる場合や、一旦了解されても実際には指定された場所に設置していない場合が多く、正確な調査を行うことが困難となっていた。
【０００６】
本発明は、上述した問題点を解決するためになされたものであり、一見してゴキブリ捕獲器が設置されているとは認識され難いと共に、室内のインテリアとしても利用することができる害虫捕獲器用カバーを提供することを目的としている。
【課題を解決するための手段】
【０００７】
請求項１の発明は、植木鉢や日用品、置物等の被載置物を載置可能な天板と、該天板を支持する支持脚の機能を有する側板とを備えた害虫捕獲器用カバーであって、前記側板は、前記天板の外周近傍に立設されていて、横断面の長手方向が直線状となる第１の側板と、該第１の側板に対向する位置に曲面が形成された第２の側板とから構成されており、前記第１の側板と前記第２の側板との間の２箇所に害虫捕獲器を挿入可能な開口を有すると共に、前記２箇所の開口の上部には、ずれ防止片が設置されており、前記害虫捕獲器が挿入されている状態では、該害虫捕獲器の上部は前記天板にて覆われていると共に、前記ずれ防止片によって前記害虫捕獲器のずれを防止しつつ、前記害虫捕獲器が視認されるのを防ぐことを特徴としている。
【０００８】
本発明に係る害虫捕獲器用カバーは、天板に植木鉢や日用品、置物等の被載置物を載置することができるので、害虫捕獲器が挿入されていることを来客に認識されることが無く、室内のインテリアとして違和感を抱かせずに害虫の通り道に設置することができる。
【０００９】
また、少なくとも２箇所に害虫捕獲器を挿入可能な開口を有しているので、この開口から害虫を害虫捕獲器内に侵入させることができる。さらに、害虫捕獲器の上部は天板にて覆われているので、害虫捕獲器内に捕獲されている害虫を外部から視認され難く、来客に不快感を与えることを防ぐことができる。また、ずれ防止片によって、害虫捕獲器がずれるのを防止することができる。また、ずれ防止片は、開口の上部に設置されているので、来客等に開口の内部に捕獲されている害虫が視認されるのを防ぐことができる。
【００１０】
請求項２の発明は、請求項１の発明において、天板の平面形状と略同一形状の化粧板が、前記天板の上部を覆うように設置されていることを特徴としている。したがって、化粧板によって高級感を醸し出すことができ、室内のインテリアとしての価値を高めることができる。
【００１１】
請求項３の発明は、請求項２の発明において、天板は、磁性材料からなる金属にて形成されていると共に、化粧板の底面に磁石が設置されていることを特徴としている。したがって、色彩や柄、模様等が異なる複数の化粧板をあらかじめ準備しておけば、室内の壁紙の色や天気、気分、曜日、月等によって、マッチする化粧板に交換することができ、室内インテリアとしての価値を一層高めることができる。
【００１２】
請求項４の発明は、請求項２又は３の発明において、化粧板の上面には、被載置物を固定可能な溝又は孔が形成されていることを特徴としている。したがって、化粧板に載せた被載置物がずれることなく、常に同じ位置に載置しておくことができるので、見栄えがよく、室内インテリアとしての価値を高めることができると共に、振動や接触等によって、植木鉢等の被載置物が倒れるのを防ぐことができる。
【発明の効果】
【００１４】
請求項１の発明では、害虫捕獲器内に捕獲されている害虫を外部から視認され難く、来客に不快感を与えることを防ぐことができると共に、害虫捕獲器がずれるのを防止することができる。また、請求項２及び３の発明では、高級感を醸し出すことができ、室内のインテリアとしての価値を高めることができる。
【００１５】
また、請求項４の発明では、室内インテリアとしての価値を高めることができると共に、振動や接触等によって、植木鉢等の被載置物が倒れるのを防ぐことができる。
【図面の簡単な説明】
【００１６】
【図１】本発明に係る害虫捕獲器用カバーを示す斜視図
【図２】本発明に係る害虫捕獲器用カバーを示す底面図
【図３】本発明に係る害虫捕獲器用カバーに害虫捕獲器が挿入される状態を示す分解斜視図
【図４】（ａ）本発明に係る害虫捕獲器用カバーを構成する化粧板を示す平面図（ｂ）図４（ａ）のＡ−Ａ断面図
【図５】本発明に係る害虫捕獲器用カバーの使用状態を示す斜視図
【図６】（ａ）本発明に係る害虫捕獲器用カバーの他の実施形態を示す平面図（ｂ）本発明に係る害虫捕獲器用カバーの他の実施形態を示す平面図
【図７】従来の害虫捕獲器を示す斜視図
【発明を実施するための形態】
【００１７】
次に、本発明の実施形態を図面に基づいて説明する。図１は、本発明に係る害虫捕獲器用カバーを示す斜視図である。また、図２は、本発明に係る害虫捕獲器用カバーの底面図である。害虫捕獲器用カバー１は、植木鉢や日用品、置物等の被載置物を載置することが可能な天板２を備えている。また天板２を支持する支持脚の機能を有する側板３、４を備えている。
【００１８】
側板３は、天板２の外周に沿うようにして、天板２の外周近傍に立設されており、その横断面の一部が半円状となるように、曲面を含んで形成されている。また、側板４は、天板２の外周端部から約９０度に折り曲げられて、天板２の外周近傍に立設されており、その横断面が直線状となるように、平面にて形成されている。
【００１９】
そして、側板３と側板４との間の２箇所には、害虫捕獲器６を挿入可能な開口５ａ、５ｂが形成されている。また、この開口５ａ、５ｂの上部には、挿入されている害虫捕獲器６のずれを防止するずれ防止片７ａ、７ｂが設置されている。そして、害虫捕獲器６が挿入されている状態では、害虫捕獲器６の上部は、天板２にて覆われている。尚、ずれ防止片７ａ、７ｂは、開口５ａ、５ｂを塞ぐほどの大きさのものではなく、ずれ防止片７ａ、７ｂの左右側方及び下方には、ゴキブリ等の害虫が侵入することができる開口が確保されている。尚、開口は、少なくとも２箇所に設置されていれば本発明に含まれるものであり、側板３又は側板４の耐久性が確保できれば、さらに開口を増やして３箇所以上とすることもでき、これも本発明に含まれるものである。
【００２０】
本発明に係る害虫捕獲器用カバー１は、上述した構成を備えているので、天板２に植木鉢や日用品、置物等の被載置物を載置することができる。また、害虫捕獲器６が挿入されていることを来客に認識されることが無く、室内のインテリアとして違和感を抱かせずに害虫の通り道に設置することができる。また、ずれ防止片７ａ、７ｂは、開口５ａ、５ｂの上部に設置されているので、来客等に開口５ａ、５ｂの内部に捕獲されている害虫が視認されるのを防ぐことができる。また、横断面が直線状となっている側板４側を建物の壁面側に沿うようにして設置すれば、横断面の一部が半円状となるように曲面を含んで形成されている側板３側が、建物の壁面とは反対側に位置することとなるので、爪先等をぶつけて足に怪我をするのを防ぐことができると共に、室内のインテリアとして、見栄えをよくすることができる。尚、害虫捕獲器用カバー１の材質としては、ステンレス鋼等の金属や、プラスチック等の合成樹脂を採用することができる。
【００２１】
図３は、本発明に係る害虫捕獲器用カバーに害虫捕獲器が挿入される状態を示す分解斜視図である。ここで害虫捕獲器６は、一般に市販されている紙製の捕獲器を使用することができる。害虫捕獲器６は、底面部６ｃと周壁部６ｄと屋根部６ａ、６ｂとを有するものであって、周壁部６ｄに害虫が進入可能な複数の開口６ｅが形成されている。この害虫捕獲器６は、底面部６ｃに貼付されている剥離紙を剥がすと、粘着面が表れる構造となっており、粘着面上に誘引剤を載置すれば、害虫をたくさん捕獲することができるものである。また、市販されている害虫捕獲器６は、折り線が形成されているブランクシート状のものを組み立てることによって形成される構造となっている。
【００２２】
この害虫捕獲器６を図３に示すように、害虫捕獲器用カバー１の開口５ｂ（５ａ）から挿入し、害虫捕獲器６の上部が天板２によって覆われる位置まで挿入するのである。尚、開口５ｂ（５ａ）への挿入時に、害虫捕獲器６の屋根部６ａ、６ｂを手で下方に押さえつけることによって、害虫捕獲器６は変形して、高さが小さくなり、開口５ｂ（５ａ）の上部に設置されているずれ防止片７ｂ（７ａ）に当ることなく挿入することができる。そして、挿入が完了すると、紙の復元力によって、害虫捕獲器６はもとの高さに戻り、害虫捕獲器用カバー１をずらした場合でも屋根部６ａ、６ｂが、ずれ防止片７ａ、７ｂに当接することとなるので、害虫捕獲器６のずれを防止することができるのである。
【００２３】
図４（ａ）は、本発明に係る害虫捕獲器用カバーを構成する化粧板を示す平面図であり、図４（ｂ）は、図４（ａ）のＡ−Ａ断面図である。これらの図に示すように、化粧板８は、天板２の平面形状と略同一形状にて形成されており、天板２の上部を覆うように設置されるものである。そして、化粧板８の上面には、被載置物を固定可能な円形の孔９が形成されている。尚、孔９の形状は、被載置物の底部形状に対応して変わるものであり、円形に限定されるものではない。また、被載置物の底部に突起部が形成されている場合等には、孔９に替えて、突起部に嵌合する溝とすることもでき、これも本発明に含まれるものである。
【００２４】
上述したように、化粧板８には、被載置物を固定可能な溝又は孔９が形成されているので、化粧板８に載せた被載置物がずれることなく、常に同じ位置に載置しておくことができ、見栄えがよく、室内インテリアとしての価値を高めることができると共に、振動や接触等によって、植木鉢等の被載置物が倒れるのを防ぐことができる。
【００２５】
また、化粧板８は、図４（ｂ）に示すように、透明なアクリル樹脂板８ａと、印刷層８ｂと、磁石層８ｃとから構成されている。この化粧板８の製造過程は、以下の通りである。即ち、透明なアクリル樹脂板８ａの裏面に色彩や柄、模様等が施された印刷データを反転させて直接印刷した後、印刷層８ｂに磁石層８ｃを固着させるのである。印刷方法としては、ＵＶインクジェット印刷を採用することができる。ここで、ＵＶインクジェット印刷とは、紫外線を照射することによって、硬化乾燥させることができるＵＶインキを使用した印刷方向のことをいう。尚、図４（ｂ）に示す化粧板８の厚みは、印刷層８ｂ及び磁石層８ｃが見易いように厚く描かれており、実際の化粧板８の厚みに対応するものではない。
【００２６】
化粧板８を上記の構成とすることによって、化粧板８が設置されている害虫捕獲器用カバー１に、透き通った高級感を与えることができる。また、害虫捕獲器用カバー１の天板２を磁性材料からなる金属にて形成することによって、化粧板８の固定及び取り外しの作業を容易に行うことが可能となる。また、色彩や柄、模様等が異なる複数の化粧板８をあらかじめ準備しておけば、室内の壁紙の色や天気、気分、曜日、月等によって、マッチする化粧板８に交換することができ、室内インテリアとしての価値を一層高めることができる。
【００２７】
図５は、本発明に係る害虫捕獲器用カバーの使用状態を示す斜視図である。害虫捕獲器用カバー１は、害虫捕獲器６が挿入されている状態では、害虫捕獲器６の上部は、天板２にて覆われている。また、天板２に植木鉢１０や日用品、置物等の被載置物を載置することができる。また、害虫捕獲器６が挿入されていることを来客に認識されることが無く、室内のインテリアとして違和感を抱かせずに害虫の通り道に設置することができる。また、ずれ防止片７ａ（７ｂ）は、開口５ａ（５ｂ）の上部に設置されているので、来客等に開口５ａ（５ｂ）の内部に捕獲されている害虫が視認されるのを防ぐことができる。さらに、化粧板８には、植木鉢１０等の被載置物を固定可能な溝又は孔９が形成されているので、化粧板８に載せた被載置物がずれることなく、常に同じ位置に載置しておくことができ、見栄えがよく、室内インテリアとしての価値を高めることができる。
【００２８】
図６の（ａ）及び（ｂ）は、本発明に係る害虫捕獲器用カバーの他の実施形態を示す平面図である。図６（ａ）に示す実施形態では、害虫捕獲器用カバー２１の天板２２の角部２２ａ、２２ａに、化粧板位置決め片２３、２３を設置している。この２個の化粧板位置決め片２３、２３は、天板２２の上面よりも突出させており、前述した化粧板８を天板２２の上面に設置する際に、化粧板８の角部２箇所が化粧板位置決め片２３、２３に当接することによって、スムーズに位置決めがなされ、化粧板８を天板２２の上面にずれることなく設置することができる。
【００２９】
また、図６（ｂ）に示す実施形態では、害虫捕獲器用カバー３１の天板３２の直線状の端部３２ａに沿うようにして、化粧板位置決め片３３を設置している。この化粧板位置決め片３３は、天板３２の上面よりも突出させており、前述した化粧板８を天板３２の上面に設置する際に、化粧板８の直線状の端部が化粧板位置決め片３３に当接することによって、スムーズに位置決めがなされ、化粧板８を天板３２の上面にずれることなく設置することができる。
【産業上の利用可能性】
【００３０】
本発明の害虫捕獲器用カバーは、ゴキブリ等の害虫を捕獲する捕獲器を外部から視認され難くするためのカバーとして使用される。
【符号の説明】
【００３１】
１、２１、３１  害虫捕獲器用カバー
２、２２、３２  天板
３、４  側板
５ａ、５ｂ  開口
６  害虫捕獲器
６ａ、６ｂ  屋根部
７ａ、７ｂ  ずれ防止片
８  化粧板
８ａ  アクリル樹脂板
８ｂ  印刷層
８ｃ  磁石層
９  孔
１０  植木鉢
２３、３３  化粧板位置決め片
【図１】
0006430725.tif 000002
【図２】
0006430725.tif 000003
【図３】
0006430725.tif 000004
【図４】
0006430725.tif 000005
【図５】
0006430725.tif 000006
【図６】
0006430725.tif 000007
【図７】
0006430725.tif 000008